(57)【要約】【課題】本発明の目的は、施工現場にて切断して長さ調整する表面材で上部を覆った床台において、床台を持ち上げる時などに床台端部に手を触れて表面材の切断部木口面のバリ、エッジでけがすることがないように、確実に表面材の切断部木口面の露出を防止した構造の安全な床台を提供する。【解決手段】平面視形状が方形の板材と高さ調整可能な脚部を有する支持材にて床架台を形成し、床架台の上部を覆う平面視形状が方形の表面材より成る床台において、前記支持材は、少なくとも床台端部に設けられ、かつ床台端部支持材は、前記表面材の端部木口面を隠す露出防止部を有することを特徴とする。【選択図】  図２
2004232362.tif 000002
【特許請求の範囲】
【請求項１】
平面視形状が方形の板材と高さ調整可能な脚部を有する支持材にて床架台を形成し、床架台の上部を覆う平面視形状が方形の表面材より成る床台において、前記板材が前記表面材の端部木口面を隠す露出防止部を有することを特徴とする床台。
【請求項２】
平面視形状が方形の板材と高さ調整可能な脚部を有する支持材にて床架台を形成し、床架台の上部を覆う平面視形状が方形の表面材より成る床台において、前記支持材は、少なくとも床台端部に設けられ、かつ床台端部支持材は、前記表面材の端部木口面を隠す露出防止部を有することを特徴とする床台。
【請求項３】
平面視形状が方形の板材と高さ調整可能な脚部を有する支持材にて床架台を形成し、床架台の上部を覆う平面視形状が方形の表面材より成る床台において、前記板材または前記支持材に、前記表面材の端部木口面を隠す露出防止部を有するキャップ部材が付設されることを特徴とする床台。
【発明の詳細な説明】
【０００１】
【発明の属する技術分野】
本発明は、室内に複数の床台を敷設し、床高さを所定の高さに嵩上げする床台ユニットに関するもので、特に浴室洗い場床面と出入り口との段差を解消するために洗い場床面に設置する床台に関する。
【０００２】
【従来の技術】
室内に複数の床台を敷設し、床高さを所定の高さに嵩上げする床台ユニットとして、設置する室内の広さに合わせて切断された木製もしくはプラスチック製の長尺プレートを高さ調整可能な脚部を有する複数の支持板で支持する床台がある。（例えば、特許文献１参照。）。
また、高さ調整可能な支持脚を有する支持材を複数配置させ、各支持材間を複数の板材で架け渡し床架台を形成し、床架台の上面を表面材で覆う床台であり、室内広さに合わせて長さを切断した表面材の切断部木口面を覆い隠す為の端仕舞部材を表面材の端部に取り付けた床台もある（例えば、特許文献２参照）。
【０００３】
【特許文献１】
特開２００１−５７９４４号公報（第６頁、第１図）
【特許文献２】
特開２０００−１２９９００号公報（第６頁、第３図）
【０００４】
【発明が解決しようとする課題】
特許文献１の室内の広さに合わせて切断された木製もしくはプラスチック製の長尺プレートを高さ調整可能な脚部を有する複数個の支持板で支持する床台では、掃除などで床台を持ち上げようとする時など床台端部の長尺プレート切断部に手を触れたり手で持つことが考えられ、けがをしないように切断部木口面のバリ取りや面取りをする必要があるが、施工現場でそれらの作業を行うのは手間がかかり、また、それらの作業が正しく行われないとけがをする恐れがあるという問題がある。
【０００５】
また、特許文献２の高さ調整可能な支持脚を有する支持材を複数配置させ、各支持材間を複数の板材で架け渡し床架台を形成し、床架台の上面を表面材で覆う床台で、室内広さにあわせて切断した表面材の切断部木口面を覆い隠す為の端仕舞部材を表面材端部に取り付けた床台では、表面材の切断部は端仕舞部材によって隠されているため切断部で手や指をけがすることは防止できるが、端仕舞部材は表面材端部に差し込まれて取り付けられ、端仕舞部材の上板の厚さ分、表面材上面と端仕舞部材の上板とに段差が生じるので、段差でのつまずき防止や美観向上のため、なるべく段差が小さくなるよう端仕舞部材の上板は薄板状にする必要があるが、薄い為に端仕舞部材の上に足を踏み込んだ時など荷重がかかれば端仕舞部材が容易に変形して緩んだり、外れたりしやすいという問題がある。
【０００６】
本発明は、上記問題を解決するためになされたもので、本発明の目的は、施工現場にて切断して長さ調整する表面材で上部を覆った床台において、床台を持ち上げる時などに床台端部に手を触れて表面材の切断部木口面のバリ、エッジでけがすることがないように、確実に表面材の切断部木口面の露出を防止した構造の床台を提供することにある。
【０００７】
【課題を解決するための手段】
上記目的を達成するためになされた請求項１の発明は、平面視形状が方形の板材と高さ調整可能な脚部を有する支持材にて床架台を形成し、床架台の上部を覆う平面視形状が方形の表面材より成る床台において、前記板材が前記表面材の端部木口面を隠す露出防止部を有することを特徴とする。
【０００８】
本発明において、施工現場にて切断して長さ調整した表面材を、バリ取り、面取りなどせずに床架台上部にそのまま覆って床台を構成しても、表面材の切断部木口面には手や指が触れることがなく、けがすることがなく安全であり、露出防止部は板材と一体であるため、別部材を用いず切断部木口面を隠すことができ、部品数の削減、製造コストの削減がはかられ、露出防止部が緩んだり外れたりすることもない。
【０００９】
請求項２の発明は、平面視形状が方形の板材と高さ調整可能な脚部を有する支持材にて床架台を形成し、床架台の上部を覆う平面視形状が方形の表面材より成る床台において、前記支持材は、少なくとも床台端部に設けられ、かつ床台端部支持材は、前記表面材の端部木口面を隠す露出防止部を有することを特徴とする。
【００１０】
本発明において、請求項１とは別の手段で表面材の切断部木口面には手や指が触れることがなく、けがすることがなく安全であり、露出防止部は床台端部支持材と一体であるため、別部材を用いず切断部木口面を隠すことができ、部品数の削減、製造コストの削減がはかられ、露出防止部が緩んだり外れたりすることもない。
【００１１】
請求項３の発明は、平面視形状が方形の板材と高さ調整可能な脚部を有する支持材にて床架台を形成し、床架台の上部を覆う平面視形状が方形の表面材より成る床台において、前記板材または前記支持材に、前記表面材の端部木口面を隠す露出防止部を有するキャップ部材が付設されることを特徴とする。
【００１２】
本発明において、キャップ部材は表面材端部に差し込むため薄板状の上板をもつ必要はなく、変形しにくいブロック状の部材で板材または支持材に付設することが可能となり、露出防止部が変形して緩んだり外れたりすることがない。
【００１３】
【発明の実施の形態】
以下、本発明の実施形態の例を説明する。図１は第一実施例の床台の斜視図、図２は床台を分解して構成を示す斜視図である。床台１７は、平面視形状が方形の板材１と、二つの端部支持材２と、二つの中間支持材３と、端部支持材２および中間支持材３の幅方向両端部に取り付けられる支持脚４にて形成される床架台１６と、平面視形状が方形の表面材５とで構成される。
【００１４】
板材１と表面材５はのこぎりなどで切断可能な材質とする。設置する室内の広さにあわせて板材１と表面材５の長さ寸法をそれぞれ切断して、床台長さを決め施工する。端部支持材２は、長さ寸法を調整した板材１の長さ方向両端部にそれぞれ取り付けられ、中間支持材３は板材１の長さ方向任意位置に取り付けることができる。
【００１５】
図３は端部支持材２の斜視図である。端部支持材２は幅方向断面が凹形状で板材１を支持する支持部６と、木口露出防止部７とを有する。中間支持材３は板材１を支持する支持部６を有する。
【００１６】
支持部６の幅方向両端の突出部８にはそれぞれ上下に貫通したネジ穴部９を有し、ネジ軸部を有した支持脚４がネジ穴部９に螺入出自在にネジ止めされ、支持脚４とネジ穴部９の螺入量によって床台１７の高さ調整を行う。突出部８の上面は支持部６に支持された板材１の上面と同一面上とし、端部支持材２および中間支持材３の幅方向寸法は表面材５の幅寸法と略同一とすることで、表面材５の裏面は板材１の上面全面と端部支持材２および中間支持材３のそれぞれの突出部８の上面にて支持される。
【００１７】
図４は床台１７の長さ方向端部の側面図である。端部支持材２の木口露出防止部７の上面は、突出部８の上面より表面材５の厚み分だけ上部に位置し、木口露出防止部７の内側側面が表面材５の木口面１０の全面と当接し、木口面１０の露出を防止する。さらに木口露出防止部７の上面が表面材５の上面と同一面上であり、床台１７上面の段差はない。
【００１８】
上記のような構成により、室内の広さにあわせて長さ調整して切断した表面材切断部木口面が露出せず、掃除などで床台を持ち上げる時など、切断部木口面のバリ、エッジでけがをすることがない。
【００１９】
図５は本発明の第２実施例の床台の斜視図、図６は床台を分解して構成を示す斜視図である。床台１９は中空で平面視形状が方形の板材１と、三つの支持材１１と、支持材１１の幅方向両端部に取り付けられる支持脚４とで形成される床架台１８と、平面視形状が方形の表面材５と、板材１の長さ方向両端部に取り付けられる二つの端部キャップ部材１２とで構成される。
【００２０】
構成内容は第一実施例とほぼ同様であり、端部キャップ部材１２に関して説明を行う。図７は端部キャップ部材１２の斜視図である。端部キャップ部材１２は、板材１の中空部１３に挿入される挿入部１４と木口露出防止部１５を有する。挿入部１４の幅方向断面形状は、中空部１３の幅方向断面形状と略同一であり、挿入部１４を中空部１３に挿入し、端部キャップ部材１２を板材１に取り付ける。
【００２１】
図８は床台１９の長さ方向端部の側面図である。端部キャップ部材１２の木口露出防止部１５の上面は表面材５の上面と同一面上、下面は支持材１１の下面と同一面上で、挿入部側側面の幅方向寸法は表面材５の幅寸法と略同一であり、木口露出防止部１５の挿入部側側面が表面材５の木口面１０の全面と当接し、木口面１０の露出を防止する。
【００２２】
上記のような構成により、室内の広さにあわせて長さ調整して切断した表面材の切断部木口面が露出せず、掃除などで床台を持ち上げる時など、切断部木口面のバリ、エッジでけがをすることがない。また、端部キャップ部材の上面は表面材上面と同一面上にすることにより段差はなく、足が引っ掛かってつまづくことがなく、キャップ部材は変形して緩んだり、外れたりしにくい。
【００２３】
【発明の効果】
本発明によれば、施工現場にて切断して長さ調整する表面材で上部を覆った床台において、床台を持ち上げる時などに床台端部に手を触れて表面材の切断部木口面のバリ、エッジでけがすることがないように、確実に表面材の切断部木口面の露出を防止した構造の床台を提供することが可能となる。
【図面の簡単な説明】
【図１】本発明の第一実施例の床台の斜視図である。
【図２】本発明の第一実施例の床台を分解して構成を示す斜視図である。
【図３】本発明の端部支持材を示す斜視図である。
【図４】本発明の第一実施例の床台の長さ方向端部を示す側面図である。
【図５】本発明の第二実施例の床台の斜視図である。
【図６】本発明の第二実施例の床台を分解して構成を示す斜視図である。
【図７】本発明の端部キャップ部材を示す斜視図である。
【図８】本発明の第二実施例の床台の長さ方向端部を示す側面図である。
【符号の説明】
１…板材
２…端部支持材
３…中間支持材
４…支持脚
５…表面材
６…支持部
７…木口露出防止部
８…突出部
９…ネジ穴部
１０…木口面
１１…支持材
１２…端部キャップ部材
１３…中空部
１４…挿入部
１５…木口露出防止部
１６…床架台
１７…床台
１８…床架台
１９…床台
【図１】
2004232362.tif 000003
【図２】
2004232362.tif 000004
【図３】
2004232362.tif 000005
【図４】
2004232362.tif 000006
【図５】
2004232362.tif 000007
【図６】
2004232362.tif 000008
【図７】
2004232362.tif 000009
【図８】
2004232362.tif 000010